(57)【特許請求の範囲】
【請求項１】
情報ユニットのバーストを受ける入力手段と、
前記情報ユニットを表示する表示領域を具える表示手段とを具え、前記表示手段が、前記情報ユニットを前記表示領域中で特定のスクロール速度でスクロールさせるべく構成されている情報表示装置において、該情報表示装置が、
制御信号を発生する制御信号発生手段をさらに具え、前記制御信号発生手段が、前記入力手段において前記情報ユニットを受ける平均レートを表す評価信号を発生すべく構成された評価手段と、前記制御信号を前記評価信号及び前に発生した制御信号に応じて発生すべく構成された信号処理手段とを具え、前記表示手段が、前記制御信号に応じて前記スクロール速度を制御すべく構成されていることを特徴とする情報表示装置。
【請求項２】
請求の範囲１に記載の情報表示装置において、前記評価手段が、特定の期間である評価期間中の前記情報ユニットを受ける平均レートを表す前記評価信号を発生すべく構成されていることを特徴とする情報表示装置。
【請求項３】
請求の範囲１または２に記載の情報表示装置において、前記制御信号を前記評価信号としたことを特徴とする情報表示装置。
【請求項４】
請求の範囲２に記載の情報表示装置において、前記信号処理手段がさらに、前記評価期間後、前記制御信号を、第１調節係数αを掛けた前記評価信号と、第２調節係数βを掛けた前の制御信号との和に応じて発生すべく構成されていることを特徴とする情報表示装置。
【請求項５】
請求の範囲４に記載の情報表示装置において、前記信号処理手段がさらに、前の評価期間中の平均受け取りレートが当該評価期間中のスクロール速度よりも遅い場合には、前記第１調節係数を０≦α≦１の範囲内の値に設定し、前の評価期間中の平均受け取りレートが当該評価期間中のスクロール速度よりも速い場合には、前記第１調節係数を値α＞１に設定し、いずれの場合にも前記第２調節係数を、１から前記第１調節係数を減算した値であるβ＝１−αにほぼ等しい値に設定すべく構成されていることを特徴とする情報表示装置。
【請求項６】
請求の範囲４または５に記載の情報表示装置において、前記信号処理手段がさらに、前の評価期間中の平均受け取りレートが当該評価期間中のスクロール速度よりも予め決められた割合以下だけ低い場合、前記調節係数を値α＝０およびβ＝１に設定すべく構成されていることを特徴とする情報表示装置。
【請求項７】
請求の範囲２、４、５または６に記載の情報表示装置において、前記評価期間が固定持続時間を有することを特徴とする情報表示装置。
【請求項８】
請求の範囲２、４、５または６に記載の情報表示装置において、前記評価期間の開始および終了を、前記情報ユニットのバーストの受け取りに応じて制御することを特徴とする情報表示装置。
【請求項９】
請求の範囲１ないし８のいずれか１つに記載の情報表示装置において、前記情報ユニットを、前記入力手段において当該情報ユニットを受ける瞬間的なレートで格納し、前記情報ユニットを前記スクロール速度に関連するレートで放出すべく構成されたバッファ手段をさらに具えていることを特徴とする情報表示装置。
【請求項１０】
請求の範囲１ないし９のいずれか１つに記載の情報表示装置を具えて、記録キャリヤおよび／または放送送信から前記情報ユニットを再生する装置。
【発明の詳細な説明】
本発明は、
−  情報ユニットのバーストを受ける入力手段と、
−  前記情報ユニットを表示する表示領域を具える表示手段とを具え、前記表示手段を、前記情報ユニットを前記表示領域中で特定のスクロール速度でスクロールさせることに適合させた情報表示装置に関係する。
情報表示装置は、一般的に２つのクラス、すなわち、
１．すべての情報を当該装置自体に含む装置。これらにおいて、情報をディスプレイに表示する速度を、そのユーザの完全な制御下に置くことができる。この一例は、パーソナルオーガナイザであり、ユーザは、このオーガナイザに含まれる情報を通じて彼自身の好適な速度において閲覧することができる。
２．当該装置またはそのユーザによって完全に制御することはできないレートにおいて利用可能になる情報に依存する装置。これらにおいて、情報がディスプレイに表示される速度は、しばしば、情報をソースから受けるレートに従う。この例は、放送メッセージのディスプレイと、ディジタルコンパクトカセット（ＤＣＣ）またはディジタルオーディオ放送（ＤＡＢ）受信機に結合したソングテキストディスプレイである。
に分けることができる装置に用いられる。
前発明は、この第２のクラスの装置において使用する情報表示装置に関係する。例えば、ソングテキストを表示する表示装置の一例は、欧州特許出願公開明細書第０５６１４３５号に開示されている。この文書において、前記表示領域が、受けたメッセージを完全に表示するには、しばしば不十分であるという問題に対する解決法を求めている。長い原文のメッセージをこのような小さいディスプレイに表示する慣例的な方法は、メッセージを前記表示領域中でスクロールさせる、すなわち、テキストの一部を前記表示領域中でシフトさせ、前記メッセージからの順次の文字（またはテキストの行）を前記表示領域の一方の端に付加し、前の文字（またはテキスト行の各々）を他方の端において除去することである。メッセージをスクロールさせる速度は、通常、平均的なユーザが許容しうる読む速度と思うように、固定されているか、前記メッセージに含まれる特別なコードによって決定される。
本発明の目的は、表示能力を越えるかもしれない長さのメッセージを表示する改善された方法を有する情報表示装置を提供することである。
本発明による情報表示装置は、該情報表示装置がさらに、
−  制御信号を発生する制御信号発生手段を具え、この制御信号発生手段が、前記情報ユニットを前記入力手段において受ける平均レートを表す評価信号を発生するのに適合した評価手段を具え、前記制御信号を前記評価信号から得ることと、前記表示手段を、前記制御信号に応じた前記スクロール速度の制御に適合させたこととを特徴とする。本発明は、以下の考えに基づいている。情報ユニットを多かれ少なかれ規則的な間隔において別々に受ける場合、各々の情報ユニットを、前記表示領域中にすぐにスクロールさせることができる。したがって、前記スクロールを、個々の情報ユニットの受け取りによって直接制御することができる。しかしながら、多くの情報伝送システムにおいて、複数の情報ユニットを具えるメッセージは、極めて短い時間において、例えば、データパケットにおいて輸送される。種々の形式のデータパケットが輸送されるかもしれず、いくつかは、前記ディスプレイに表示すべき情報ユニットを具え、他のものは、例えば、前記表示装置に（現在は）関係ないデータのような他の情報を輸送する。受信装置は、通常、これらのデータパケットを（必要とする限り）復号化し、無関係データをフィルタ処理して取り除き、前記表示装置に現在表示すべきこれらの情報ユニットのみを送る復号化装置を具える。したがって、情報ユニットは、高い瞬時受け取りレートにおける短いバーストにおいて前記表示装置に受けられる。このようなシステムにおいて、前記スクロールを個々の情報ユニットの受け取りによって直接制御する場合、最も不利であり、データパケットにおいて輸送されるメッセージは、前記表示領域中に高い速度でスクロールし、前記メッセージの長さが表示能力を越える場合、前記メッセージの最初の部分は、ほとんどすぐにスクロールアウトしてしまう。前記メッセージの最後の部分のみを、前記ディスプレイにおいて、ある時間中、次のメッセージを受けるまで見ることができる。したがって、前記メッセージの最初の部分も快適に読めるように、より低いスクロール速度が望ましい。この目的のために、ＦＩＦＯ（先入れ先出し）形式のバッファを使用し、前記情報ユニットをこれらを受ける高い瞬時レートにおいて満たし、前記情報ユニットを快適なスクロール速度に対応するかなりより低い（予め決められた）レートにおいて出力する。しかしながら、個々のユーザが快適であると思うスクロール速度に大きな変動があるかもしれず、すなわち、何人かのユーザは情報をかなり速い速度で吸収することができ、他のユーザはかなりより多くの時間を必要とするかもしれない。ほとんどすべてのユーザを満足させるために、前記スクロール速度をある程度低くしなければならない。この際、前のメッセージがディスプレイ中を依然としてスクロールしており、その一部がまだ表示されていない時、新たなメッセージを受けることが起こるかもしれない。この状況において、この新たなメッセージを後に表示するために格納し、それによって、その正確なタイミングを失い、前記バッファにおける限られた格納容量による前記メッセージの損失を覚悟するか、前記前のメッセージの表示を中止し、まだ見ていないメッセージの部分を残すかしなければならない。双方の解決法とも���対すべきものである。本発明は、他の解決法を開示し、これは、前記メッセージが、例えば、歌われる行と一致して表示されるべき歌詞テキストのテキスト行のように、強いリアルタイム性を有する場合、特に有利である。本発明によれば、前記スクロール速度を、前記表示装置によって情報ユニットを受ける平均レートから得た制御信号に応じて制御する。したがって、前記スクロール速度は、例えば、スローバラッドが演奏される場合には低く、速いラップソングが演奏される場合には高くなる。
情報ユニットを、例えば、英数字、半角文字、テキストの行または一連の画素のような表示可能要素か、前記表示領域中に別々にスクロールすることができる何か他の表示可能要素かを表すデータビットのグループとして規定する。明瞭にするために、この規定は、情報ユニットと表示可能要素との差異を強調する。しかしながら、“ディスプレイが情報ユニットよって表される表示可能要素を表示する”よりも、この差異をみとめず、“ディスプレイが情報ユニットを表示する”と言うのがより一般的である。本明細書においても、“情報ユニット”という言葉を、データビットのグループと、それが表す表示可能要素の双方に対して使用する。
したがって、前記情報要素の規定は、使用するディスプレイの形式に関係する。離散的な文字位置において１行のテキストを、例えば、既知の１６セグメント表示の文字を使用することによって示すディスプレイに関して、この形式のディスプレイは、テキストの長い列を、文字を１つずつその表示領域中に一方の端、通常は右手側においてスクロールし、前の文字を表示領域中でシフトさせ、最終的に他方の端、左手側において除去することによって表示するため、情報ユニットを１つの文字コードとする。この１行テキストディスプレイを、比例した間隔を置いて文字を表示することができ、完全な文字でなくドット列をスクロールすることができるドットマトリックス形式のものとした場合、情報ユニットは、１ドット列に対応し、したがって、文字コードあたりの情報ユニットの数は、文字の幅と共に変化する。例えば、テレビジョンまたはコンピュータ画面のような、複数のテキスト行を表示できるディスプレイに関して、この形式のディスプレイは、長いテキストを、テキスト行を１行ずづその表示領域中に一方の端、通常は下側においてスクロールし、前のテキスト行を表示領域中でシフトさせ、最終的に他方の端、上側において除去することによって表示するため、情報ユニットは、テキストの完全な行に対応する。同様に、例えば、グラフィカル画像ディスプレイのような他の形式のディスプレイに関して、情報ユニットは、表示領域中に別々にスクロールされる最小の要素に対応する。本発明は、どのような特定の形式のディスプレイを具える情報表示装置にも限定されず、１行および多行テキストディスプレイと、グラフィカル画像ディスプレイと、情報ユニットをその表示領域中でスクロールすることに適合するどのような他の形式の表示装置とにも適用することができる。
前記スクロール速度を、表示領域中で単位時間あたりにスクロールされる情報ユニットの数として規定する。この規定を用いることによって、前記スクロール速度は、前記受け取りのレート、例えば、１秒あたりの文字数と同じ測定単位において表される。
本発明の一実施形態は、前記評価手段を、特定の期間中“評価期間”を平均化することと、評価期間中に前記情報ユニットを受ける平均レートを表す前記評価信号を発生することとに適合させたことを特徴とする。前記評価期間を順次の期間とするが、連続的な期間とする必要はなく、前記評価期間の間に、前記受け取りのレートを評価しない“ブラインド”期間があってもよい。このような“ブラインド”期間は、制限された処理能力を有する実現化において必要であるかもしれない。評価期間後、前記評価手段は、この評価期間中の受け取りの平均レートを表す評価信号を発生する。本発明の一実施形態において、前記評価信号を制御信号として前記表示手段に供給する。したがって、前記スクロール速度は、前記平均受け取りレートに従うように制御される。前記スクロール速度を制御するこの簡単な方法は、前記平均受け取りレートがある程度一定である場合、適切であるが、前記受け取りレートの突然の上昇は、前記スクロール速度の上昇を招き、これはスクロール速度が遅すぎることによって生じる遅延を補償するには不十分であり、したがってメッセージの一部が失われるか、表示の正確なタイミングが失われる。これらのような不利な影響を回避するために、本発明の一実施形態は、前記制御信号発生手段が、前記評価信号と前に発生した制御信号とに応じて前記制御信号を発生するのに適合した信号処理手段をさらに具えることを特徴としてもよい。この方法において、前記評価信号を前記表示手段に直接供給せず、初めに信号処理手段によって処理する。結果として生じる制御信号は、前の制御信号にも依存し、その結果、前記受け取りレートおよびスクロール速度間の突然の違いを認識することができ、前記制御信号の発生において考慮することができる。
前記制御信号発生手段が評価期間中の受け取りレートを平均する評価手段を具える上述した実施形態は、さらに、前記制御信号発生手段が、評価期間後、前記評価信号を、第１調節係数（α）を掛けた前記評価信号と、第２調節係数（β）を掛けた前の制御信号との和に応じて発生するのに適合した信号処理装置をさらに具えることを特徴としてもよい。したがって、前記制御信号は、評価期間後、この評価期間中の平均受け取りレートを表す信号と、この期間中のスクロール速度を表す信号との和に応じて発生される。前記調節係数αおよびβの設定は、前記平均受け取りレートにおける変化に対する前記制御信号の応答性を制御し、したがって前記スクロール速度の応答性を制御する。所望の応答性を得るために、好適実施形態は、さらに、前記信号処理手段を、前の評価期間中の平均受け取りレートがこの期間中のスクロール速度よりも低い場合、前記第１調節係数を０≦α≦１の範囲における値に設定し、前の評価期間中の平均受け取りレートがこの期間中のスクロール速度よりも高い場合、前記第１調節係数をα＞１の値に設定し、前記第２調節係数を、１マイナス前記第１調節係数にほぼ等しい値（すなわち、β＝１−α）に設定することにさらに適合させたことを特徴としてもよい。したがって、調節係数α（および調節係数β＝１−α）は、
−  平均受け取りレートがスクロール速度より低い場合、前記制御信号はゆっくりと追従しなければならず、すなわち、ローパス特性でなければならない。制御係数αを極めて小さい値、すなわち０に近くした場合、前記平均受け取りレートにおける減少は、極めてゆっくりと進み、これは、前記スクロール速度が読むためにまだ速すぎない場合、有利である。前記スクロール速度が、スクロール速度をさらに遅くすることが表示されるメッセージの読みやすさを改善しないか、メッセージ全体の理解しやすさに不利な影響を及ぼすかもしれないほど遅くなったら、前記調節係数をα＝０に設定する。他方において、前記平均受け取りレートが低下した場合、前記スクロール速度が（読むのに都合がよい速度に対して）速い場合、急激に、すなわち、調節係数αを１に等しいか、１よりわずかに小さく設定することによって変化するスクロール速度に従うことがより有利である。この方法において、スクロール速度をできる限り速くより遅くし、それによって、表示されたメッセージの読みやすさを迅速に改善する。
−  平均受け取りレートがスクロール速度より高い場合、前記制御信号は、迅速に、そして好適には、“オーバシュート”を有して、すなわちα＞１によって従い、前の期間中遅すぎたスクロール速度を補償しなければならない。オーバシュートの量を、次のメッセージを受けているとき、どの位多くの前のメッセージのユニットを示したままにすべきかを考慮することによって最適化することができる。スクロール速度におけるオーバシュートを掛けることによって上昇した受け取りレートに反応した後、したがって、表示における遅れが迅速に減少した後、上述したローパス特性が、スクロール速度を新たな受け取りレートにゆっくりと近づける。
というように所望の応答性を得る状況に適合する。
他の改善として、前記信号処理手段を、前の評価期間中の平均受け取りレートがその期間中のスクロール速度よりも低い予め決められた割合よりも低い場合、前記調節係数をα＝０およびβ＝１の値に設定するようにさらに適合させたことを特徴としてもよい。この方法において、スクロール速度を、すべてのメッセージを利用可能な時間内に示すには十分に高く、必要とされるよりもあまり高くない場合、一定のレベルに保つ。これは、メッセージの表示を、スクロール速度が前記評価信号における小さな変化（または不正確な測定）ごとに応じる場合よりも安定させる。前記予め決められた割合は、低下させることなくどの位より高いスクロール速度としてもよいかを決定し、実際には、１０パーセント程度の割合を、不安定な表示を回避するために試してもよい。
評価期間中の受け取りレートを平均する評価手段を、評価期間の持続時間で割った評価期間中に受けた情報ユニット数を評価することに適合させてもよい。したがって、２つのパラメータ、すなわち、前記情報ユニット数および持続時間を評価手段によって評価しなければならない。本発明の好適実施形態は、評価を簡単にするためにこれらのパラメータのうち少なくとも１つの先天的な知識を使用する。このような好適実施形態は、前記評価期間が一定の持続時間を有することを特徴としてもよく、この場合において持続時間を評価する必要はなく、または、前記評価期間の開始および終了を、情報ユニットのバーストの受け取りに応じて制御することを特徴としてもよい。データパケットを輸送する情報輸送システムにおいて、通常、各々のデータパケットは、該パケットにおいて運ばれる情報ユニット数についての情報を与えるか、予め決められた数の情報ユニットを運ぶ。これら双方の場合において、バーストにおける情報ユニット数を評価する必要はない。例えば、欧州特許出願公開明細書第０３２５３２５号は、予め決められた数４０の情報ユニットを具えるデータパケットにおいてメッセージを輸送するシステムを開示している。この実施形態をこのようなシステムに用いた場合、前記評価手段を、個々の情報ユニットの平均受け取りレートを評価するよりも、データパケットを受ける平均レートを評価することに適合させてもよい。１つのメッセージとして表示すべき情報を複数のＮのバーストにおいて受けた場合、評価期間の終了を、該評価期間の開始からＮ番目のバーストを受ける瞬時によって制御してもよい。
本発明の一実施例は、情報ユニットを前記入力手段においてこれらを瞬間的に受けるレートにおいて格納し、情報ユニットを前記スクロール速度に関係するレートにおいて出力するのに適合したバッファ手段をさらに具えてもよい。このＦＩＦＯ（先入れ先出し）形式のバッファを、高い瞬時レートにおいて、バーストに含まれる情報ユニットで満たす。このバッファを、前記表示領域中にスクロールさせるために情報ユニットを出力することによって、かなりより低いが実際的に連続的なレートにおいて空にする。好適には、前記バッファの格納容量を十分に大きくし、該バッファが空になる前、すなわち前のメッセージを完全に出力する前に、新たなメッセージを受けた場合に情報ユニットの損失を回避する。好適な格納容量は、メッセージに含まれる情報ユニット数に主に関係し、２つのメッセージを保持するのに十分な程大きなバッファは、大部分の実際的な状況において、前記情報ユニットの損失を回避するのに十分な程大きい。前記制御信号発生手段が上述したような信号処理手段を具える場合、情報ユニットが失われる可能性は、前記受け取りレートが上昇したときに、調節係数αを１より大きく設定する場合、さらに減少する。（調節係数βを、β＝１−αに設定するとする。）したがって、より小さいバッファ容量を選択してもよい。
前記平均受け取りレートが許容しうるスクロール速度よりも実際的に低い場合、前記バッファを用い、メッセージを、次のメッセージを受けるまで保存し、メッセージを前記ディスプレイにおいて繰り返し表示できるようにしてもよい。
本発明による情報表示装置を、ＣＤプレイヤまたはＤＣＣプレイヤのような記録キャリヤから情報を再生するのに適合した装置に組み込んでもよく、メッセージをページングするラジオまたは受信機のような放送送信を受けるのに適合した装置に組み込んでもよい。この意味における放送送信という言葉は、無線通信または公共サービスに限定されない。有線または他の媒体による通信や、一人または数人のユーザとの通信も、本発明の範囲内である。
ここで、動的に割り当てられた表示速度を有するページング受信機は、米国特許明細書第４９５２９２７号に記載されていることに注意する。しかしながら、この特許は、情報を受けるレートに適合するメッセージのスクロール速度を開示していない。さらにこの特許に相違して、本発明は、スクロール速度を、多数の受けたメッセージをバッファリングする必要性を回避するように制御する表示装置を開示している。
本発明のこれらおよび他の態様は、以下に説明する実施形態の参照によって明らかになるであろう。
ここで、本発明を、例として添付した図の参照と共により詳細に説明する。
図１は、本発明による情報表示装置を示す。
図２は、制御信号発生手段の第１実施形態を示す。
図３および４は、ディジタル形態において実現するのが好適な制御信号発生手段の実施形態を示す。
図５および６は、さらに信号処理手段を具える制御信号発生手段の実施形態を示す。
図７は、受け取りレートの突然の上昇に対する本情報表示装置の応答の一例を示す。
図８は、マイクロコンピュータを具える実施形態に関する、このマイクロコンピュータのプログラムの拡張および変更のフローチャートを示す。
図１は、入力端子１ａおよび１ｂと、表示手段２と、制御信号発生器３とを具える本発明による情報表示装置を示す。この例において、本表示装置を組み込む装置は、データストリームを受け、このストリームからディスプレイに表示すべき情報ユニットを再生する復号化手段（図示せず）を具える。これらの情報ユニットを、データ信号Ｄ１によって前記表示装置に、これらを前記データストリームから受けるレートにおいて、すなわちバーストにおいて、同期クロック信号Ｃ１と共に与える。クロック信号Ｃ１は、例えば立ち上がりエッジのような印を、情報ユニットがデータ信号Ｄ１において利用可能な場合に与える。したがって、クロック信号Ｃ１は、データ信号Ｄ１における情報ユニットと同じバースト的特性を示す。前記情報ユニットのバーストを、前記表示装置によって入力端子１ａにおいて受け、前記クロック信号を入力端子１ｂにおいて受ける。入力端子１ａは、複数の接続部、例えば、共に情報ユニットを形成するビットの各々に１つ具えてもよいことを理解すべきである。入力端子１ａおよび１ｂを表示手段２に結合し、前記情報ユニットをＦＩＦＯ形式バッファ２．４中に、前記クロック信号Ｃ１における立ち上がりエッジに共振してクロッキングする。前記情報ユニットを、クロック信号発生器２．３によって発生された第２クロック信号Ｃ２によって制御される実際的に連続的なレートにおいて、バッファ２．４から出力し、ディスプレイドライバ回路２．２に供給する。第２クロック信号Ｃ２は、前記スクロール速度を決定し、すなわち、ディスプレイドライバ回路は、この第２クロック信号の立ち上がりエッジに応じて前記バッファから情報ユニットをロードし、前の情報ユニットを前記表示領域中でスクロールさせる。本発明によれば、前記スクロール速度を、制御信号に応じて制御することができる。この目的のために、クロック信号発生器２．３は、例えば、前記制御信号によって制御できるＶＯＣ（電圧制御発振器）か、前記制御信号から得た係数によって高周波数を分周することによって可変クロックレートを発生するプログラム可能分周器を具えてもよい。前記制御信号を、制御信号発生器３によって発生し、情報ユニットを受ける平均レートを表す評価信号から得る。この方法において、本発明による情報表示装置は、情報を表示する速度を、情報を受ける平均レートに調節する。制御信号発生器３の実施形態を以下の図において説明する。
ここで示す例において、制御信号発生器３は、前記評価信号を発生するためにクロック信号Ｃ１を使用するが、データ信号Ｄ１か、情報ユニットを受けるレートに関係する他の信号を等しく用いてもよいことを理解すべきである。例えば、本情報表示装置を、メッセージをデータパケットにおいて輸送するシステムにおいて使用した場合、制御信号発生器３を、有利に、データパケット構造に適合させてもよく、データパケットが各々、予め決められた数の情報ユニットを与える場合、制御信号発生器３の実施形態を、個々の情報ユニットの平均受け取りレートを評価するよりも、データパケットを受ける平均レートを評価することに適合させてもよい。
図２は、アナログ形態における制御信号発生器３の第１実施形態を示す。この制御信号発生器は、電荷ポンプ３．１と、キャパシタ３．２と、抵抗３．３とを具える。これは、その入力部３ａにおいてクロック信号Ｃ１を受ける。電荷ポンプ３．１は、一定の電荷をキャパシタ３．２に、クロック信号Ｃ１の立ち上がりエッジ毎に供給する。これは、キャパシタ３．２における電圧を上昇させる。しかしながら、この電圧は、キャパシタ３．２が抵抗３．３によって連続的に放電されるため、低下もする。キャパシタ３．２において結果として生じる電圧は、クロック信号Ｃ１における立ち上がりエッジの平均レートを表し、これは前記情報ユニットの平均レートと同じである。したがって、この電圧を前記評価信号とする。図２に示すように、キャパシタ３．２を出力部３ｂに結合し、この評価信号を制御信号として表示手段２に与えることができ、前記制御信号を滑らかにするローパスフィルタのような他の信号処理手段を含んでもよい（図示せず）。
図２の参照と共に説明した制御信号発生器の実施形態は、ディジタル集積回路における、または、ＰＬＤ（プログラム可能論理装置）またはマイクロコンピュータのようなプログラム可能ディジタル装置における実現化には最適ではない。以下の実施形態は、このような実現化により適している。
図３は、ディジタル形態における実現化に好適な制御信号発生器の実施形態を示す。制御信号発生器３は、クロック信号Ｃ１をその入力部３ａに受ける。この制御信号発生器は、その出力部３．４ａにおいて定期的な間隔でトリガ信号を発生する一定間隔タイマ３．４と、トリガ信号間の期間中のクロック信号Ｃ１における立ち上がりエッジ数を計数するカウンタ３．５とを具え、したがって前記期間を前記評価期間とする。したがって、トリガ信号の瞬時におけるカウンタ３．５の計数値は、前記評価期間中にクロック信号Ｃ１における立ち上がりエッジを受ける平均レートの測定であり、これは前記情報ユニットの平均レートと同じである。したがって、前記トリガ瞬時における計数値を前記評価信号として用いることができる。前記スクロール速度を制御させるために、この計数値を、前記カウンタをリセットする前に保存しなければならない。このために、前記カウンタの出力部３．５ｂを格納手段３．６のデータ入力部３．６ａに結合し、前記タイマの出力部３．４ａを前記格納手段のトリガ入力部３．６ｃに結合する。したがって、トリガ信号の瞬時において、前記計数値を格納手段３．６に格納し、データ出力部３．６ｂにおいて供給する。次に、前記カウンタを、その計数値をゼロに設定し戻すことによってリセットし、前記タイマの出力部３．４ａを前記カウンタのリセット入力部３．５ｃにさらに結合する。前記格納手段のデータ出力部３．６ｂを出力部３ｂに結合し、前記保存された計数値を制御信号として表示手段２に供給する。この実施形態において、前記制御信号は、一定の期間中に受けた情報ユニット数に簡単な方法で関係し、その結果、前記制御信号は、この期間中の平均受け取りレートに比例する。
図４は、ディジタル形態における実現化に好適な制御信号発生器の他の実施形態を示す。この実施形態は、各々のメッセージが予め決められた数の情報ユニットを具え、各々のメッセージを、例えば、１つのデータパケットからの１つのバーストにおいて受ける場合、特に有用である。制御信号発生器３は、情報ユニットのバーストの受け取りを検出し、このようなバーストを検出した場合、その出力部３．７ｂにおいてトリガ信号を発生する検出器３．７を具える。代わりに、このようなトリガ信号を前記受信装置における復号化回路によって、前記ディスプレイにおいて表示すべきデータパケットの検出に応じて供給することができる。この制御信号発生器は、トリガ信号間の期間の時間をはかるカウンタ３．８をさらに具え、したがって、この期間を前記評価期間とする。カウンタ３．８は、一定の比較的高いレートにおいて計数し、トリガ信号の瞬時におけるその計数値は、前記評価期間の持続時間の測定である。１つのバーストには予め決められた数の情報ユニットが含まれることから、この計数値は、この評価期間中の情報ユニットを受ける平均レートも表す。したがって、前記トリガ瞬時における計数値を、前記評価信号として用いることができる。前記スクロール速度を制御させるために、この計数値を、前記カウンタをリセットする前に保存しなければならない。このために、前記カウンタの出力部３．８ｂを格納手段３．６のデータ入力部３．６ａに結合し、検出器３．７の出力部３．７ｂを格納手段３．６のトリガ入力部３．６ｃに結合する。したがって、トリガ信号の瞬時において、前記計数値を格納手段３．６に格納し、データ出力部３．６ｂにおいて供給する。次に、前記カウンタを、その計数値をゼロに設定し戻すことによってリセットし、前記検出器の出力部３．７ｂを、前記カウンタのリセット入力部３．８ｂにさらに結合する。前記格納手段のデータ出力部３．６ｂを出力部３ｂに結合し、前記保存された計数値を制御信号として表示手段２に供給する。この実施形態において、前記制御信号は、バーストを検出した瞬時間の期間の持続時間に簡単な方法で関係し、その結果、前記制御信号は、この期間中の平均受け取りレートに反比例する。
図５および６は、信号処理手段をさらに具える制御信号発生手段の実施形態を示す。これらの実施形態において、評価信号を得る手段は、図３および４の各々の参照と共に説明したこれらと同じである。これらの手段を、図５および６において同じ参照符によって示す。制御信号発生器３は、第１および第２信号調節手段３．９および３．１０と、信号結合手段３．１１と、格納手段３．６と、調節制御手段３．１２とをさらに具える。第１信号調節手段３．９を、信号に調節係数αを掛けることに適合させる。これらの信号調節手段を、例えば、（制御可能）係数αによって増幅する増幅器とすることができる。αを１より小さくしてもよく、この場合、前記増幅器は減衰させることに注意されたい。これらの手段の入力部３．９ａを、図３および４の各々の参照と共に説明したカウンタの出力部に結合する。第２信号調節手段３．１０を、信号に調節係数βを掛けることに適合させ、βを１マイナス調節係数αに等しいとする。これらの信号調節手段を、例えば、（制御可能）係数βによって増幅する増幅器とすることができる。βを１より小さくしてもよく、この場合前記増幅器は減衰させ、および／または、負にしてもよく、この場合前記増幅器は反転する。これらの手段の入力部３．１０ａを、格納手段３．６のデータ出力部３．６ｂに結合する。信号結合手段３．１１を、その入力部３．１１ａおよび３．１１ｂにおいて受けた２つの信号を結合し、結果として生じる信号をその出力部３．１１ｃにおいて発生するのに適合させる。これらの手段の第１入力部３．１１ａを第１信号調節手段３．９の出力部３．９ｂに結合し、第２入力部３．１１ｂを第２信号調節手段３．１０の出力部３．１０ｂに結合する。信号結合手段３．１１の出力部３．１１ｃを、格納手段３．６のデータ入力部３．６ａに結合する。信号結合手段３．１１からの信号を、前記格納手段によって格納し、トリガ入力部３．６ｃにおける、図３および４の各々の参照と共に説明したトリガ信号の受け取りに応じて、データ出力部３．６ｂにおいて供給する。前記格納手段のデータ出力部３．６ｂを、前記制御信号を表示手段２に供給する制御信号発生器３の出力部３ｂにさらに結合する。上述したように前記トリガ信号を発生した場合、前の評価期間を終了し、この評価期間中の情報ユニットを受けた平均レートを表す前記カウンタの計数値（Ｖ１T）に、第１信号調節手段３．９によって調節係数αを掛け、信号結合手段３．１１において、第２信号調節手段３．１０によってβ（β＝１−α）を掛けた前の評価期間の制御信号（Ｖ２T-1）に加える。この加算から結果として生じる信号を、格納手段３．６に格納し、出力部３ｂにおいて新たな制御信号（Ｖ２T）として供給し、これに応じて、次の期間中、前記スクロール速度を制御する。したがって、前記制御信号を、式、
Ｖ２T＝α×Ｖ１T＋（１−α）×Ｖ２T-1
にしたがって発生する。他の実施形態は、他の信号処理手段を用いることによって同じ制御信号を得てもよいことを理解すべきである。例えば、前記制御信号を、信号Ｖ２T-1を信号Ｖ１Tから引き、その結果にαを掛け、信号Ｖ２T-1に加えることによって、すなわち、Ｖ２T＝α×（Ｖ１T−Ｖ２T-1）＋Ｖ２T-1とすることによって発生することが等しく可能である。実施形態のこのおよび他の最適化は、本発明の範囲から逸脱しない。調節制御手段３．１２を、評価信号Ｖ１Tによって表される前の評価期間中の平均受け取りレートと、この期間の制御信号Ｖ２T-1によって表されるこの期間におけるスクロール速度とに応じて調節係数α（および、第２調節係数β＝１−α）を制御することに適合させる。調節係数αの設定は、制御信号の応答性を制御し、
−  前記平均受け取りレートが前記スクロール速度より低い場合、調節係数αを範囲０≦α≦１における値に設定し、前記制御信号が前記平均受け取りレートにおける変化にゆっくりと従うようにする。前記スクロール速度が既に低く、より遅くすることが表示されたメッセージの読みやすさを改善するために必要ない場合、調節係数αを０または０に近く設定する。前記スクロール速度が手頃な読む速度に対して高い場合、前記スクロール速度をできるかぎり速くより遅くし、それによって表示されたメッセージの読みやすさが急速に改善されるようにするために、受け取りレートの低下がより急速に従うようにし、すなわち、調節係数αを１または１に近く設定する。
−  前記平均受け取りレートが前記スクロール速度に等しいか、わずかに低い場合、調節係数αを０に設定する。したがって、前記スクロール速度を、メッセージ全体を利用可能な時間内で表示するためには十分に高く、必要とされるよりもあまり高くないため、一定のレベルに保つ。
−  前記平均受け取りレートが前記スクロール速度より高い場合、調節係数αを値α＞１に設定し、前記制御信号が前記平均受け取りレートに迅速かつ“オーバシュート”を有して従うようにし、前の期間中に低すぎた前記スクロール速度を補償するようにする。
図７は、前記情報表示装置の前記受け取りレートにおける突然の上昇に対する応答の一例を示す。このグラフにおいて、横座標を秒におけるタイムスケールに沿って示し、縦座標を前記受け取りレートおよびスクロール速度の双方に関する秒あたりの特性を示す。前記平均受け取りレートをこのグラフにおいて、その値が、評価を終えたこれらの時点においてのみ関連するため、ドットによって示す。前記スクロール速度を連続線によって表す。各々が４０文字を表す４０情報ユニットを具えるメッセージを受け、前記平均受け取りレートを、このようなメッセージの受け取り毎後に評価するとする。前記平均受け取りレートは、前記評価期間の持続時間、すなわち、メッセージを受けた瞬時間の時間で割った、この場合において４０である、メッセージにおける情報ユニット数に等しい。この例は、安定状態から開始し、この状態において、１つのメッセージを４秒毎に受け、前記スクロール速度は、１秒あたり１０文字の安定した値に達する。ｔ＝０およびｔ＝４において再びメッセージを受け、この安定状態は続くが、このとき受け取りレートは、２秒毎に１つのこのようなメッセージ、すなわち、１秒あたり２０文字に上昇する。ｔ＝６において、これは明らかになる。この時点において、他の４０文字が利用可能になり、同時に、前のメッセージの半分の２０文字を依然として示すべきである。前記スクロール速度は、１秒あたり１０文字から１秒あたり２０文字への前記受け取りレートにおけるこの変化に従うが、最初に、前記受け取りの遅れを、前記スクロール速度をより高い値に設定することによって解消しなければならない。前記スクロール速度を１秒あたり３０文字、すなわちα＝２に設定した場合、前のメッセージの見ていない半分（２０文字）に加え新たなメッセージ全部（４０文字）を２秒の次の期間において示すが、このスクロール速度は許容しえないほど高いと思われるかもしれない。前記オーバシュートを、多くの後に続くメッセージの同期化に影響をおよぼす犠牲を払って、より小さい値に設定してもよい。このグラフに示す例において、前記スクロール速度を１秒あたり３０文字の代わりに１秒あたり２５文字に、すなわち、α＝２の代わりにα＝１．５に設定する。前のメッセージの最後の２０文字に加え新たなメッセージの３０文字を２秒の次の期間に表示し、新たなメッセージの残りの１０文字を依然として表示すべきである。したがって、前記表示の遅れは、１周期において半減する。このオーバシュート反応後、前記スクロール速度は、新たな受け取りレートにゆっくりと近づき、すなわち、前記調節係数を、例えば、α＝０．２に設定する。この結果、前記スクロール速度は、ｔ＝８において１秒あたり２４文字になり、その結果、前記遅れは、ｔ＝１０において２文字に減少する。ｔ＝１２において、前記遅れは解消されるが、前記スクロール速度は、必要なよりも依然としてわずかに高く、現在の平均受け取りレートに近づき続ける。前記スクロール速度が前記平均受け取りレートに十分近づいた場合、すなわち、メッセージ全部を利用可能な時間中に示すためには十分に高いが、必要とされるよりもあまり高くない場合、前記調節係数をα＝０に設定することができ、したがっ��前記スクロール速度は一定に保たれる。これを、このグラフにおいてｔ＝１６から先に示す。これは、前記表示がより滑らかになるという、読み手に対する利点を有する。
上述した実施形態を、ハードウェア手段の見地から説明した。しかしながら、このような手段を、マイクロコンピュータのような装置の機能を制御するソフトウェアプログラムにおいて実現することも等しく可能である。特に、図３、４、５および６に関して説明した実施形態は、このような実現化に極めて適している。マイクロコンピュータソフトウェアプログラムにおいて実現された表示手段２の少なくとも一部を有する情報表示装置において、本発明を、同じマイクロコンピュータにおいて、そのプログラムの拡張または変更として有利に実施することができる。図８は、この拡張をマイクロコンピュータソフトウェアプログラムにおいてどのように埋め込むかの一例を示す。
−  手順４．１は、先行技術の情報表示装置に属するタスクのような、マイクロコンピュータが行う“他のタスク”を表す。これらの“他のタスク”において、前記情報ユニットをスクロールする手順を、本発明により、前記プログラムの現在の拡張によって与えられるパラメータＶ２Tの値によって制御できる速度においてスクロールするのに適合するように変更しなければならない。手順４．１は、前記プログラム拡張、すなわち、手順４．２、４．３、４．４および４．５にアクセスする。
−  手順４．２は、情報ユニットのバーストを受けたかどうかを試験する。最後の試験から情報ユニットのバーストを受けていない場合、このプログラムは手順４．１の“他のタスク”に戻り、バーストを受けた場合、手順４．３に続く。手順４．１および４．２のここで説明した相互作用は、“ポーリング”の相互作用である。これは、手順４．２は回帰的に関係するが、定期的な間隔における必要はなく、すなわち、前記“他のタスク”がある予備時間を有する場合はいつも、バースト間の期間を十分正確に測定するのにしばしば十分であるならば、アクセスしてもよいことを意味する。代わりに、前記相互作用を“割り込み駆動型”としてもよく、これは、情報ユニットのバーストを受けるとすぐ、前記他のタスクに割り込み、前記プログラム拡張にアクセスすることを意味する。したがって、受けているバーストの検出を、前記マイクロコンピュータにおける他のタスクによって引き継ぎ、その結果、手順４．２を省略することができ、前記プログラムは、割り込み信号によってトリガされたとき、手順４．３に直接ジャンプすることができる。割り込み駆動型相互作用の利点は、めったに起こらないポーリングによる受け取りレート評価に加わる不正確さが無いことである。
−  手順４．３は、評価信号Ｖ１Tの発生に対応する。この例において、前記平均受け取りレートを、図６の実施形態におけるのと同じ方法において評価する。この手順を開始するとき、すなわち、バーストの受け取り後、計数値を、マイクロコンピュータにおいて実施され、一定で比較的高いレートにおいて増分するカウンタから読み取る。次に、前記平均受け取りレートを、前記計数値で割った、前記バーストにおける情報ユニット数から計算する。この計算の結果、以下の手順において使用するパラメータＶ１Tの値が生じる。前記計数値を読み取った後、前記カウンタをゼロにリセットし、次の期間の評価を開始する。
−  手順４．４は、図５および６に関して説明した調節制御に対応する。この手順は、丁度評価された平均受け取りレートであるパラメータＶ１Tと、前のプログラムサイクルにおいて発生された制御信号であるパラメータＶ２T-1とに依存する予め決められたルールに従って調節係数αおよびβを決定する。このような予め決められたルールの例は、上述した。有利に、βの値を１マイナスαの値に設定する。
−  手順４．５は、制御信号Ｖ２Tの発生に対応する。パラメータＶ２Tの新たな値を、次のプログラムサイクルにおける使用と、前記スクロール速度を制御する手順による使用とのために格納し、したがってこの手順は、前記スクロール速度を制御することができる。
−  この後、このプログラムは前記“他のタスク”に戻る。
したがって、本発明は、情報ユニットを表示する装置に関係する。これらの情報ユニットをバーストにおいて、前記表示装置によって完全には制御することができないレートで受ける。前記装置は、受けた情報をその表示領域中でスクロールさせ、それによってこのスクロール速度を、受けた情報を次の情報が期待される前に表示するのに十分なほど高く、必要とされるよりもあまり高くないように適合させる。前記装置は、制御信号Ｖ２Tを発生し、これを前記スクロール速度を制御する表示手段に供給する手段を具える。これらの制御信号発生手段は、評価期間中の情報ユニットを受ける平均レートを表す評価信号Ｖ１Tを発生し、この評価信号から前記制御信号を得る。本発明の一実施形態において、前記制御信号を、式、Ｖ２T＝α×Ｖ１T＋（１−α）×Ｖ２T-1に従って発生する。この実施形態の他の改良において、調節係数αを、前記情報ユニットを受ける平均レートにおける変化に応じるようにする。前記情報表示装置を、例えば、記録キャリヤおよび／または放送送信から情報を再生する装置に用いることができる。
本発明を、その好適な実施形態に関して説明したが、これらは制限的な例ではないことを理解すべきである。したがって、添付した請求の範囲において規定した本発明の範囲から逸脱することなく、種々の変形が当業者には明らかになるでろう。図３、４、５および６に関して説明した実施形態において、カウンタの計数値を、評価信号（Ｖ１T）を発生するために使用する。図３および５の実施形態において、この結果、前記平均受け取りレートに比例する評価信号が生じ、図４および６の実施形態において、結果として生じる評価信号は、前記平均受け取りレートに反比例する。個々の評価手段を実現する場合、前記計数値を簡単な方法において使用せず、最初に、前記結果として生じる評価信号が、この信号を用いる前記表示手段のような手段の特性に適合するように処理することが有利であるかもしれない。前記表示手段は、例えば、前記スクロール速度を、これらの入力信号に比例または反比例して、または何か他の方法において制御してもよい。前記評価信号を、入力部における信号に反比例する信号を出力部に発生する手段のような簡単な処理手段を用いることによって、これらのような特性に適合させることができる。代わりに、これらのような適合を、制御信号（Ｖ２T）において行うことができる。これらのような適合は、したがって、上述したような調節係数αおよびβを制御するルールを適合させることを必要とするかもしれない。本発明のこの説明から、どのようにこれらのような適合を行うかを理解することは、当業者の能力の範囲内である。したがって、これらのような適合は、本発明の範囲から逸脱しない。
【図１】
0003933695.tif 000002
【図２】
0003933695.tif 000003
【図３】
0003933695.tif 000004
【図４】
0003933695.tif 000005
【図５】
0003933695.tif 000006
【図６】
0003933695.tif 000007
【図７】
0003933695.tif 000008
【図８】
0003933695.tif 000009